(57)【要約】【課題】  本発明はノイズ低減機能を有する適応的彩度調節装置および方法に関するものである。【解決手段】  本発明の実施形態による適応的彩度調節装置は、入力映像の輝度値を抽出する輝度値抽出部、および前記抽出された輝度値に基づいて前記入力映像の彩度成分を調節する彩度調節部を含む。【選択図】図１
2008148308.tif 000002
【特許請求の範囲】
【請求項１】
入力映像の輝度値を抽出する輝度値抽出部、および
前記抽出された輝度値に基づいて前記入力映像の彩度成分を調節する彩度調節部を含む、適応的彩度向上装置。
【請求項２】
第１色空間座標値によって表現された前記入力映像を彩度成分の抽出が可能な第２色空間座標値によって表現された変換映像に変換する第１色変換部、および
前記変換映像から前記彩度成分を抽出する彩度成分抽出部をさらに含む、請求項１に記載の適応的彩度調節装置。
【請求項３】
前記彩度調節部によって、調節された彩度成分が反映された第１出力映像を前記第１色空間の座標値によって表現された第２出力映像に変換する第２色変換部をさらに含む、請求項２に記載の適応的彩度調節装置。
【請求項４】
前記輝度値は前記入力映像の平均輝度値および入力画素輝度値のうち少なくとも一つを含む、請求項１に記載の適応的彩度調節装置。
【請求項５】
前記彩度調節部は、前記平均輝度値によって第１彩度調節値を決定する映像基盤彩度調節部と、
前記入力画素輝度値によって第２彩度調節値を決定する画素基盤彩度調節部、および
前記第１彩度調節値と前記第２彩度調節値を使用して前記入力映像の彩度成分を変更する彩度成分合成部を含む、請求項４に記載の適応的彩度調節装置。
【請求項６】
前記映像基盤彩度調節部は、前記平均輝度値が第１基準輝度値である時、前記第１彩度調節値を０に設定する、請求項５に記載の適応的彩度調節装置。
【請求項７】
前記映像基盤彩度調節部は、前記平均輝度値が前記第１基準輝度値より大きいほど前記第１彩度調節値を増加させる、請求項５に記載の適応的彩度調節装置。
【請求項８】
前記映像基盤彩度調節部は、前記平均輝度値が第１基準輝度値より小さいほど前記第１彩度調節値を減少させる、請求項５に記載の適応的彩度調節装置。
【請求項９】
前記画素基盤彩度調節部は、前記入力画素輝度値が第２基準輝度値である時、前記第２彩度調節値を０に設定する、請求項５に記載の適応的彩度調節装置。
【請求項１０】
前記画素基盤彩度調節部は、前記入力画素輝度値が第２基準輝度値より大きいほど前記第２彩度調節値の大きさを増加させる、請求項５に記載の適応的彩度調節装置。
【請求項１１】
前記画素基盤彩度調節部は、前記入力画素輝度値が第２基準輝度値より小さいほど前記第２彩度調節値の大きさを減少させる、請求項５に記載の適応的彩度調節装置。
【請求項１２】
前記彩度成分合成部は前記入力映像を構成する画素別に、前記画素の入力彩度成分、前記第１彩度調節値および前記第２彩度調節値を合算する、請求項５に記載の適応的彩度調節装置。
【請求項１３】
前記適応的彩度調節装置はイメージディスプレイ装置、イメージ生成装置、およびイメージ処理チップ（ｃｈｉｐ）およびハードウェアシステムのうち少なくとも一つである、請求項１に記載の適応的彩度調節装置。
【請求項１４】
入力映像の輝度値を抽出する段階、および
前記抽出された輝度値に基づいて前記入力映像の彩度成分を調節する段階を含む、適応的彩度調節方法。
【請求項１５】
第１色空間座標値によって表現された前記入力映像を彩度成分の抽出が可能な第２色空間座標値によって表現された変換映像に変換する段階、および
前記変換映像から前記彩度成分を抽出する段階をさらに含む、請求項１４に記載の適応的彩度調節装置。
【請求項１６】
前記調節された彩度成分が反映された第１出力映像を前記第１色空間の座標値によって表現された第２出力映像に変換する段階をさらに含む、請求項１５に記載の適応的彩度調節装置。
【請求項１７】
前記輝度値を抽出する段階は、前記入力映像の各画素に対する入力画素輝度値を抽出する段階、および
前記入力画素輝度値を利用して前記変換映像の平均輝度値を抽出する段階を含む、請求項１４に記載の適応的彩度調節方法。
【請求項１８】
前記彩度成分を調節する段階は、前記平均輝度値によって第１彩度調節値を決定する段階と、
前記入力画素輝度値によって第２彩度調節値を決定する段階、および
前記第１彩度調節値と前記第２彩度調節値を使用して前記入力映像の彩度成分を変更する段階を含む、請求項１７に記載の適応的彩度調節方法。
【請求項１９】
前記第１彩度調節値を決定する段階は、前記平均輝度値が第１基準輝度値である時、前記第１彩度調節値を０に設定する段階を含む、請求項１８に記載の適応的彩度調節方法。
【請求項２０】
前記第１彩度調節値を決定する段階は、前記平均輝度値が第１基準輝度値より大きいほど前記第１彩度調節値の大きさを増加させる段階を含む、請求項１８に記載の適応的彩度調節方法。
【請求項２１】
前記第１彩度調節値を決定する段階は、前記平均輝度値が第１基準輝度値より小さいほど前記第１彩度調節値の大きさを減少させる段階を含む、請求項１８に記載の適応的彩度調節方法。
【請求項２２】
前記第２彩度調節値を決定する段階は、前記入力画素輝度値が第２基準輝度値である時、前記第２彩度調節値を０に設定する段階を含む、請求項１８に記載の適応的彩度調節方法。
【請求項２３】
第２彩度調節値を決定する段階は、前記入力画素輝度値が第２基準輝度値より大きいほど、前記第２彩度調節値の大きさを増加させる段階を含む、請求項１８に記載の適応的彩度調節方法。
【請求項２４】
前記第２彩度調節値を決定する段階は、前記入力画素輝度値が前記第２基準輝度値より小さいほど前記第２彩度調節値の大きさを減少させる段階を含む、請求項１８に記載の適応的彩度調節方法。
【請求項２５】
前記彩度成分を変更する段階は、前記入力映像を構成する画素別に、前記画素の入力彩度成分、前記第１彩度調節値および前記第２彩度調節値を合算する段階を含む、請求項１８に記載の適応的彩度調節装置。
【請求項２６】
第１４項に記載された方法を実行する少なくとも一つのプロセシングエレメントを制御するコンピュータ判読可能のコードを含む媒体。
【請求項２７】
映像の各ピクセル輝度値と平均輝度値を抽出する輝度値抽出部と、
前記抽出された各ピクセル輝度値と平均輝度値に基づいて前記映像の選択ピクセルの彩度成分を調節する彩度調節部を含む、適応的彩度調節装置。
【請求項２８】
映像の各ピクセル輝度値と平均輝度値を抽出する段階、および
前記抽出された各ピクセル輝度値と平均輝度値に基づいて前記映像の選択ピクセルの彩度成分を調節する段階を含む、適応的彩度調節方法。
【請求項２９】
第２８項に記載された方法を実行する少なくとも一つのプロセシングエレメントを制御するコンピュータ判読可能のコードを含む媒体。
【発明の詳細な説明】
【技術分野】
【０００１】
本発明は適応的彩度調節装置と方法に関するもので、より詳細にはノイズ低減機能を有する適応的彩度調節装置および方法に関するものである。
【背景技術】
【０００２】
一般的に、映像の彩度向上技術は映像情報に含まれた彩度成分の濃度を変更する技術である。映像の彩度成分を適切に変更するようになれば人間の目は映像を鮮明に認識する傾向がある。このような彩度向上技術の代表的な方法は映像と独立的に彩度向上を遂行する非適応的方法と映像の内容によって彩度向上の程度が変わる適応的方法に分けることができる。
【０００３】
入力される映像にノイズがない時には彩度調節方法が問題とならないが一般的に入力映像は映像生成時カメラまたはビデオカメラなど映像獲得装置の特性に起因するカメラノイズと映像の伝送または保存過程のうち圧縮によって発生したＭＰＥＧノイズを含むようになるため、ノイズの特性を考慮せず映像の色相を増加させた場合、ノイズの色相がより一層強調されるという問題点がある。
【０００４】
一方、特許文献１は輝度、彩度および色相に対して対象画素と周辺の画素間の輝度、彩度および色相の差異を算出して画像を補正する発明について説明している。しかし、特許文献１もノイズの影響を減少させる技術に対しては開示していない。
【特許文献１】日本公開特許平６−１９７２４４号公報
【発明の開示】
【発明が解決しようとする課題】
【０００５】
本発明はノイズの色がより一層強調される現象を抑制することができる適応的彩度調節を遂行する装置および方法を提供することをその目的とする。
【０００６】
本発明の目的は以上で言及した目的に制限されず、言及されていないまた他の目的は次の記載から当業者に明確に理解できるであろう。
【課題を解決するための手段】
【０００７】
前記目的を達成するために本発明による適応的彩度調節装置は、入力映像の輝度値を抽出する輝度値抽出部、および前記抽出された輝度値に基づいて前記入力映像の彩度成分を調節する彩度調節部を含む。
【０００８】
前記目的を達成するために本発明による適応的彩度調節方法は、入力映像の輝度値を抽出する段階、および前記抽出された輝度値に基づいて前記入力映像の彩度成分を調節する段階を含む。
【発明の効果】
【０００９】
したがって、本発明は彩度調節作業遂行時にノイズの色がより一層強調される現象を抑制する長所がある。
【発明を実施するための最良の形態】
【００１０】
その他実施形態の具体的な事項は詳細な説明および図に含まれている。
【００１１】
本発明の利点および特徴、そしてそれらを達成する方法は添付された図面と共に詳細に後述されている実施形態を参照すれば明確になるであろう。しかし本発明は以下で開示される実施形態に限定されるものではなく互いに異なる多様な形態で具現され、単に本実施形態は本発明の開示が完全なようにし、本発明が属する技術分野で通常の知識を有する者に発明の範疇を完全に知らせるために提供されているもので、本発明は請求項の範囲によってのみ定義される。明細書全体にかけて、同一参照符号は同一構成要素を指称する。
【００１２】
以下、添付された図面を参照し、本発明の好ましい実施形態を詳細に説明する。
【００１３】
図１は本発明の一実施例による適応的彩度調節装置を示したブロック図であって、本発明の適応的彩度調節装置は、第１色変換部１０５、彩度成分抽出部１１０、輝度値抽出部１２０、彩度調節部１３０および第２色変換部１４５を含む。
【００１４】
第１色変換部１０５は、第１色空間座標値によって表現された入力映像を彩度成分の抽出が可能な第２色空間座標値によって表現された変換映像に変換する役割をする。
【００１５】
ここで、第１色空間座標値は映像表示装置で表現可能な色の座標値としてＲＧＢ（Ｒｅｄ、Ｇｒｅｅｎ、Ｂｌｕｅ）値でありえるが、これに限定されない。
【００１６】
また、第２色空間座標値は色の色相、彩度、明度を表現した三個の値でなされるＨＳＶ（Ｈｕｅ、Ｓａｔｕｒａｔｉｏｎ、Ｖａｌｕｅ）値でありえるが、これに限定されない。
【００１７】
彩度成分抽出部１１０は、第１色変換部１０５から変換映像の入力を受け、変換映像から彩度成分を抽出する役割をする。
【００１８】
輝度値抽出部１２０は、第１色変換部１０５から変換映像の入力を受け、変換映像から輝度値を抽出する役割をする。
【００１９】
ここで、輝度値は変換映像の平均輝度値および変換映像の各画素の輝度値である入力画素輝度値のうち少なくとも一つを含む。
また、輝度値抽出部１２０は各画素の輝度値を保存する保存部（図示されていない）を含み得る。
【００２０】
彩度調節部１３０は、輝度値抽出部１２０から入力される輝度値によって彩度成分抽出部１１０から入力される彩度成分を修正彩度成分に変更し、修正彩度成分を変換映像に反映し、第１出力映像を生成する。すなわち、彩度調節部１３０は彩度成分を調節する役割を遂行する。
ここで、彩度調節部１３０の詳しい機能は後述する図２の説明で詳細に記述するものとする。
【００２１】
第２色変換部１４５は、彩度調節部１３０から第１出力映像の入力を受け、第２色空間座標値によって表現された第１出力映像を第１色空間の座標値によって表現された第２出力映像に変換する役割をする。
【００２２】
ここで、本発明の適応的彩度調節装置は、映像を表示するディスプレイおよびこれらディスプレイを駆動し得るハードウェアシステム（Ｈ／Ｗ  ｓｙｓｔｅｍ）あるいはイメージプロセシングチップ（ｉｍａｇｅ  ｐｒｏｃｅｓｓｉｎｇ  ｃｈｉｐ）、映像を生成する装置に含まれたハードウェアシステムあるいはイメージプロセシングチップなどに利用されるが、これに限定されない。
【００２３】
図２は図１に図示された彩度調節部１３０を示したブロック図であって、本発明の適応的彩度調節装置は、映像基盤彩度調節部２１０、画素基盤彩度調節部２２０、および彩度成分合成部２３０を含む。
【００２４】
映像基盤彩度調節部２１０は、変換映像の平均輝度値によって第１彩度調節値を決定する。
ここで、入力映像はデジタルカメラまたはデジタルビデオカメラのような映像獲得装置のイメージセンサを使用して獲得される。この時、入力映像の平均輝度値が低ければ変換された変換映像の平均輝度値もやはり低くなるため平均輝度値が高い映像を得ようとすれば映像獲得装置の露出を長くしたりイメージセンサの利益を増加させ、変換映像の平均輝度値を増加させ得ることができるが、二つの場合、共にノイズの発生確率が増加するようになる。
【００２５】
したがって、映像基盤彩度調節部２１０は変換映像の平均輝度値が低いほど第１彩度調節値を低く設定し、変換映像の平均輝度値が高いほど第１彩度調節値を高く設定することによって、映像の獲得過程で発生したノイズの彩度向上を抑制し、色向上の遂行時ノイズの強調による画質の劣化を防ぐことができる。平均輝度値と第１彩度調節値の関係は下記図３Ａの説明で詳しく記述する。
【００２６】
また、映像基盤彩度調節部２１０によって決定される第１彩度調節値は平均輝度値の影響を受けるため、平均輝度が持続的に変化する動画に対して彩度調節を遂行する場合、効果的に作用することができる。
【００２７】
画素基盤彩度調節部２２０は変換映像の入力画素輝度値によって第２彩度調節値を決定する。
映像は保存過程または伝送過程を経る時、圧縮され得るがこのような圧縮過程で特定画素値周囲にノイズが発生する確率が増加し得る。画素基盤彩度調節部２２０は入力画素輝度値が大きいほど第２彩度調節値を高く設定し、入力画素輝度値が小さいほど第２彩度調節値を低く設定することによって、ＭＰＥＧノイズと共に特定画素値の近傍に表れるノイズの彩度向上を抑制することができる。入力画素輝度値と第２彩度調節値の関係は後述する図３Ｂの説明で詳細に記述するものとする。
【００２８】
また、画素基盤彩度調節部２２０によって決定される第２彩度調節値は入力画素輝度値の影響を受けるため、単一映像内でノイズを増幅させないようにしつつ映像の彩度調節を遂行するのに効果的に作用し得る。
【００２９】
彩度成分合成部２３０は映像基盤彩度調節部２１０によって決定された第１彩度調節値と画素基盤彩度調節部２２０によって決定された第２彩度調節値を変換映像に反映し、第１出力映像を生成する役割をする。ここで、彩度成分合成部２３０は彩度成分抽出部１１０から伝達された各画素の彩度成分に第１彩度調節値と第２彩度調節値を反映して修正彩度成分を生成し、修正彩度成分（図１の実施形態でＳ’）と他の色座標値（図１の実施形態でＨおよびＶ）を使用して第１出力映像を提供するようになる。
【００３０】
本発明の一実施例によれば、彩度成分合成部２３０は数学式（１）を使用して前記の修正彩度成分を計算することができる。
Ｏｕｔｐｕｔ＿Ｓｉ＝Ｉｎｐｕｔ＿Ｓｉ  ＋ΔＳｉ  ＋ΔＳａｌｌ          （１）
式（１）でＯｕｔｐｕｔ＿Ｓｉは修正彩度成分であって入力映像を構成する各画素に対する最終彩度値を表す。また、Ｉｎｐｕｔ＿Ｓｉは各画素の入力彩度値であって、彩度成分抽出部１１０によって変換映像から抽出され得る。また、式（１）でΔＳａｌｌは映像基盤彩度調節部２１０によって決定された第１彩度調節値を表し、ΔＳｉは画素基盤彩度調節部２２０によって決定された第２彩度調節値を表す。
【００３１】
図３Ａは図２に図示された映像基盤彩度調節部２１０に適用し得る平均輝度値と第１彩度調節値間の関係関数に対する一実施形態を表す。
【００３２】
図３Ａで、平均輝度０値（Ｙ０ｍｅａｎ）は彩度調節変更値が０になる平均輝度値であって、彩度成分の増減の可否を決定するための基準値として作用する。Ｙ０ｍｅａｎは獲得しようとする映像の属性により自動で変更されたり、ユーザによって、変更され得て、当業者によって過度な実験を経ないで経験的に選定された値に固定され得る。Ｙ０ｍｅａｎの設定方式は本発明を限定しない。
【００３３】
また、Ｙ０ｍｅａｎは彩度調節変更値最小値（ｄＳ１）から彩度調節変更値最大値（ｄＳ２）の間で変わるようになる。ｄＳ１とｄＳ２は実験的に決定され得て、ｄＳ１とｄＳ２の設定値によって本発明が限定されるのではない。好ましくは、ｄＳ１は０より小さかったり同じで、ｄＳ２は０より大きかったり同じである。
【００３４】
ここで、入力映像の平均輝度値がＹ０ｍｅａｎと同じならば第１彩度調節値は０になり、入力映像の平均輝度値がＹ０ｍｅａｎより大きいならば第１彩度調節値は０より大きく、入力映像の平均輝度値がＹ０ｍｅａｎより小さいならば第１彩度調節値は０より小さい。
【００３５】
したがって、入力映像の平均輝度値によって彩度成分の増加や減少を通した彩度調節が可能で低輝度映像でノイズ低減効果を得ることができる。
【００３６】
また、平均輝度値と第１彩度調節値間の関係は人間の視感と近いシグモイド（ｓｉｇｍｏｉｄａｌ）関数関係に従い得るが、本発明がこれに限定されるものではない。例えば、事前実験を通して、彩度成分が変更されてもノイズの強化を最小化することができる数値を算出し、これによって、平均輝度値と第１彩度調節値間の関係を表現する関数を生成することもできる。
【００３７】
図３Ｂは図２に図示された画素基盤彩度調節部２２０に適用することができる入力画素輝度値と第２彩度調節値間の関係に対する一実施形態を示す。
【００３８】
図３Ｂで、画素輝度０値（Ｙ０ｉ）は彩度調節変更値が０になる入力画素輝度値として、彩度成分の増減の可否を決定するための基準値として作用する。Ｙ０ｉは獲得しようとする映像の属性により自動で変更されたり、ユーザによって変更され得て、当業者によって、過度な実験を経ないで経験的に選択された値で固定されることもできる。Ｙ０ｉの設定方式は本発明を限定しない。
【００３９】
また、Ｙ０ｉは彩度調節変更値最小値（ｄｓ１）で彩度調節変更値最大値（ｄｓ２）の間で変わるようになる。ｄｓ１とｄｓ２は実験的に決定され得て、ｄｓ１とｄｓ２の設定値によって本発明が限定されるものではない。好ましくは、ｄｓ１は０より小さかったり同じで、ｄｓ２は０より大きかったり同じである。ここで、ｄｓ１およびｄｓ２は図３Ａで説明したｄＳ１およびｄＳ２と同一な値であり得て、他の値でもあり得る。
【００４０】
図３Ｂによれば、入力映像の入力画素輝度値がＹ０ｉと同じならば第２彩度調節値は０となり、入力映像の入力画素輝度値がＹ０ｉより大きいならば第２彩度調節値は０より大きく、入力映像の入力画素輝度値がＹ０ｉより小さいならば第２彩度調節値は０より小さい。
【００４１】
したがって、入力映像の入力画素輝度値によって彩度成分の増加や減少を通した彩度調節が可能であり低輝度映像でノイズ低減効果を得ることができる。
【００４２】
また、入力画素輝度値と第２彩度調節値間の関係は人間の視感と近いシグモイド（ｓｉｇｍｏｉｄａｌ）関数関係に従い得るが、本発明がこれに限定されるものではない。例えば、事前実験によって彩度成分が変更されたとしてもノイズの強化を最小化することができる数値を算出し、これによって平均輝度値と第２彩度調節値間の関係を表現する関数を生成することもできる。
【００４３】
また、明るい領域と暗い領域を同時に有している映像に対して、入力映像が低輝度映像の場合に明るい部分の彩度を強調する必要がある時、画素基盤彩度調節部２２０を使用して部分的に彩度を増加させることができる。入力映像が高輝度映像の場合に暗い部分でノイズを抑制するために彩度を減少させる必要があるが、これもまた画素基盤彩度調節部２２０によって部分的に彩度を減少させることができる。
【００４４】
図４は本発明の彩度調節方法を示した例示図であって、図４を利用して本発明の彩度調節方法に関して詳細に説明すれば次のとおり。
【００４５】
まず、適応的彩度調節装置は第１色空間の一形態であるＲＧＢ座標値で表現された入力映像を第２色空間の一形態であるＨＳＶ座標値で表現された変換映像に変換する（Ｓ４１０）。ここで、図１を利用して前記動作を説明すれば下記のとおりである。
【００４６】
第１色変換部１０５はＲＧＢ値で表現された入力映像の入力を受けＨＳＶ値で表現された変換映像に変換する。ここで、第１色空間がＲＧＢに限定されないのは自明である。また、第２色空間がＨＳＶに限定されないのは自明である。
【００４７】
その後、適応的彩度調節装置は変換映像の各画素に対する彩度成分を抽出する（Ｓ４２０）。ここで、図１を利用して前記動作を説明すれば下記のとおりである。
【００４８】
彩度成分抽出部１１０は第１色相変換部１０５から変換映像の入力を受けて入力された変換映像から彩度成分のＳを抽出する。
【００４９】
その後、適応的彩度調節装置は変換映像の各画素に対する輝度値を抽出する（Ｓ４３０）。ここで、図１を利用して前記動作を説明すれば下記のとおりである。
【００５０】
輝度値抽出部１２０は第１色相変換部１０５からＶの入力を受け、入力されたＶを入力画素輝度値のＶｐｉｘに変換し、画素輝度値保存部（図示されていない）に保存する。その後、平均輝度値算出部（図示されていない）は保存されたＶｐｉｘの和を求め、その結果を映像の総画素数で割り、平均輝度値のＶａｖｇを算出する。
【００５１】
ここで、平均輝度値を算出する方法は画素の輝度値の和を総画素数で割る方法以外に映像を一定の大きさを有する領域で割って、領域の平均輝度値を求めた後、これを総領域数で割る方法で求めることができ、これと類似する方法が本発明の技術的思想の範囲内にあることは明確である。
【００５２】
その後、適応的彩度調節装置は平均輝度値を反映して、彩度成分を修正する（Ｓ４４０）。ここで、図１ないし図３Ｂを利用して、彩度成分の変更方法を説明すれば下記のとおりである。
【００５３】
まず、映像基盤彩度調節部２１０は輝度値抽出部１２０からＶａｖｇの入力を受け、入力されたＶａｖｇによって第１彩度調節値ΔＳａｌｌを決定する。
【００５４】
ここで、Ｖａｖｇが平均輝度英値であるＶ０ｍｅａｎと同じならばΔＳａｌｌは０と同じで、ＶａｖｇがＶ０ｍｅａｎより大きいならばΔＳａｌｌは０より大きく、ＶａｖｇがＶ０ｍｅａｎより小さいならばΔＳａｌｌは０より小さい。
【００５５】
また、平均輝度値と第１彩度調節値間の関係関数は人間の視感を考慮したシグモイド（ｓｉｇｍｏｉｄａｌ）関数であり得るがこれに限定されない。
また、画素基盤彩度調節部２２０は輝度値抽出部１２０からＶｐｉｘの入力を受け、入力されたＶｐｉｘによって第２彩度調節値ΔＳ＿ｉを決定する。
【００５６】
ここで、Ｖｐｉｘが入力画素輝度英値のＶ０ｉと同じならばΔＳ＿ｉは０と同じで、ＶｐｉｘがＶ０ｉより大きいならばΔＳ＿ｉは０より大きく、ＶｐｉｘがＶ０ｉより小さいならばΔＳ＿ｉは０より小さい。
【００５７】
また、入力画素輝度値と第２彩度調節値間の関係関数は人間の視感を考慮したシグモイド（ｓｉｇｍｏｉｄａｌ）関数であり得るがこれに限定されない。
【００５８】
第１彩度調節値を決定する過程と第２彩度調節値を決定する過程間の時間的前後関係は実施形態よって変わることができ、本発明はこれに限定されない。
【００５９】
その後、彩度成分合成部２３０はΔＳａｌｌとΔＳ＿ｉを、入力映像を構成する各画素の彩度成分に反映して修正彩度成分Ｓ’生成し、変換映像を構成するＨ成分およびＶ成分と、修正彩度成分Ｓ’を使用して第１出力映像を提供する。
【００６０】
その後、適応的彩度調節装置は修正彩度成分を含むＨＳＶ座標値を映像表示装置に適合したＲＧＢ座標値に変換する（Ｓ４５０）。ここで、図１を利用して前記動作を説明すれば下記のとおりである。
【００６１】
第２色変換部１４５は、彩度調節部１３０からＨＳ’Ｖの入力を受け、入力されたＨＳ’ＶをＲ’Ｇ’Ｂ’に変換し、彩度調節作業が遂行された第２出力映像を出力する。
【００６２】
以上で説明した本発明の実施形態は各実施形態を構成する少なくとも一つのプロセシングエレメントを制御するための媒体上でコンピュータ判読可能のコード／インストラクションによって実行される。前記媒体はコンピュータ判読可能のコードの保存や伝送が可能である。
【００６３】
前記コンピュータ判読可能のコードは、多様な類型の媒体に記録されたり転送され得る。前記媒体の例として、記録媒体、マグネチック保存媒体（例えばＲＯＭ、フロッピー（登録商標）ディスク、ハードディスク）、光記録媒体（例えばＣＤ−ＲＯＭまたはＤＶＤ）、および搬送波（ｃａｒｒｉｅｒ  ｗａｖｅｓ）のような伝送媒体をあげることができる。また、本発明の実施形態によれば前記媒体は合成信号またはビットストリーム（ｂｉｔｓｔｒｅａｍ）のような信号でもあり得る。前記媒体は分散ネットワークであり得るため、コンピュータ判読可能のコードは分散方式で保存／伝送され実行され得る。また、前記プロセシングエレメントはプロセッサまたはコンピュータプロセッサを含むこともあり、前記プロセシングエレメントは分散したり、一つのデバイス内に含まれることもある。
【００６４】
以上の添付された図面を参照し本発明の実施形態を説明したが、本発明が属す技術分野で通常の知識を有する者は本発明がその技術的思想や必須の特徴を変更せず、他の具体的な形態で実施され得るということを理解できるであろう。したがって以上で記述した実施形態はすべての面で例示的なものであり、限定的なものでないものと理解しなければならない。本発明の範囲は前記詳細な説明よりは特許請求の範囲によって示され、特許請求の範囲の意味および範囲、そしてその均等概念から導出されるすべての変更または変形された形態が本発明の範囲に含まれると解釈されなければならない。
【図面の簡単な説明】
【００６５】
【図１】本発明の一実施例による適応的彩度調節装置を示すブロック図である。
【図２】図１に図示された彩度調節部を示すブロック図である。
【図３Ａ】本発明の一実施例による平均輝度値と第１彩度調節値間の関係を示すグラフである。
【図３Ｂ】本発明の一実施例による入力画素輝度値と第２彩度調節値間の関係を示すグラフである。
【図４】本発明の一実施例による彩度調節方法を示すフローチャートである。
【符号の説明】
【００６６】
１１０      彩度成分抽出部
１２０      輝度値抽出部
１３０      彩度調節部
２３０      彩度成分合成部
【図１】
2008148308.tif 000003
【図２】
2008148308.tif 000004
【図３Ａ】
2008148308.tif 000005
【図３Ｂ】
2008148308.tif 000006
【図４】
2008148308.tif 000007